(57)【要約】【課題】  携帯端末を用いて複数の操作端末を遠隔操作できる低コストの操作端末制御システムを提供する。【解決手段】  照明器具の点灯状態を切り替える照明スイッチの機能を有する中継端末１Ａでは、無線通信部１ｄが、操作端末１の操作を要求する操作要求を携帯端末６から受信した場合、操作通信部１ａが通信線Ｌ１を介して操作端末１へ操作信号を送信し、操作端末１の制御部１ｃは、受信した操作信号に基づいて制御機器４を制御する。【選択図】図１
2014179676.tif 000002
【特許請求の範囲】
【請求項１】
第１の制御機器を制御する操作端末と、照明器具の点灯状態を切り替える照明スイッチまたは負荷へ給電するコンセントの機能を有する中継端末とが通信線を介して互いに接続し、
前記中継端末は、前記操作端末と前記通信線を介して通信する第１の通信部と、携帯端末との間で無線通信を行う第１の無線通信部とを備えて、前記第１の無線通信部が、前記操作端末の操作を要求する操作要求を前記携帯端末から受信した場合、前記第１の通信部は、前記通信線を介して前記操作端末へ操作信号を送信し、
前記操作端末は、前記中継端末と前記通信線を介して通信する第２の通信部と、利用者によって操作される第１の操作部と、前記第１の操作部の操作に応じて前記第１の制御機器を制御する制御部とを備えて、前記制御部は、前記第２の通信部が受信した前記操作信号に基づいて前記第１の制御機器を制御する
ことを特徴とする操作端末制御システム。
【請求項２】
前記中継端末を構成する前記照明スイッチは、利用者の操作によって複数の前記照明器具の点灯状態を一括して切り替えることを特徴とする請求項１記載の操作端末制御システム。
【請求項３】
前記中継端末を構成する前記コンセントは、前記負荷への給電を導通・遮断する接点部を備えることを特徴とする請求項１記載の操作端末制御システム。
【請求項４】
前記中継端末を、宅内の複数のエリアのそれぞれに設けたことを特徴とする請求項１乃至３いずれか記載の操作端末制御システム。
【請求項５】
前記第１の無線通信部が、複数の前記操作端末の操作を要求する操作要求を前記携帯端末から受信した場合、前記第１の通信部は、複数の前記操作端末に対して前記操作信号を送信することを特徴とする請求項１乃至４いずれか記載の操作端末制御システム。
【請求項６】
利用者によって操作される第２の操作部と、前記通信線を介して通信する第３の通信部と、動作モード毎に対応する複数の前記操作端末、および前記動作モード毎に対応する前記操作端末のそれぞれの操作内容を前記第２の操作部によって登録する第１のモード設定部とを有する統合管理端末を備え、
いずれかの前記動作モードが選択された場合、前記第３の通信部は、選択された前記動作モードに対応して登録された複数の前記操作端末を操作するための前記操作信号を送信する
ことを特徴とする請求項１乃至５いずれか記載の操作端末制御システム。
【請求項７】
前記統合管理端末は、前記携帯端末と無線通信を行う第２の無線通信部を有し、前記第２の無線通信部が前記操作要求を前記携帯端末から受信した場合、前記第３の通信部は、前記通信線を介して前記操作端末へ前記操作信号を送信することを特徴とする請求項６記載の操作端末制御システム。
【請求項８】
前記統合管理端末は、前記携帯端末から送信されたモード設定信号に基づいて、前記動作モード毎に対応する複数の前記操作端末、および前記動作モード毎に対応する前記操作端末のそれぞれの操作内容を登録する第２のモード設定部を備え、いずれかの前記動作モードが選択された場合、前記第３の通信部は、選択された前記動作モードに対応して、前記第１のモード設定部または前記第２のモード設定部によって登録された複数の前記操作端末を操作するための前記操作信号を送信することを特徴とする請求項６または７記載の操作端末制御システム。
【請求項９】
前記統合管理端末は、前記第１のモード設定部による登録内容を、前記第２のモード設定部による登録内容より優先させることを特徴とする請求項８記載の操作端末制御システム。
【請求項１０】
前記統合管理端末は、前記第２のモード設定部による登録内容を、前記第１のモード設定部による登録内容より優先させることを特徴とする請求項８記載の操作端末制御システム。
【請求項１１】
前記統合管理端末は、前記第１のモード設定部による登録内容と、前記第２のモード設定部による登録内容とのいずれを優先させるかを選択的に設定することを特徴とする請求項８記載の操作端末制御システム。
【請求項１２】
第２の制御機器の動作を制御する機器制御端末が前記通信線に接続し、
前記統合管理端末は、前記機器制御端末との間で通信することによって、前記第２の制御機器を制御する
ことを特徴とする請求項６乃至１１いずれか記載の操作端末制御システム。
【請求項１３】
第２の制御機器の動作を制御する機器制御端末が前記通信線に接続し、
前記中継端末は、前記第２の制御機器の制御を要求する制御要求を前記携帯端末から受信した場合、前記機器制御端末との間で通信することによって、前記第２の制御機器を制御する
ことを特徴とする請求項１乃至１２いずれか記載の操作端末制御システム。
【請求項１４】
前記中継端末は、複数の前記第２の制御機器の制御を要求する制御要求を前記携帯端末から受信した場合、前記機器制御端末との間で通信することによって、複数の前記第２の被制御機器を制御することを特徴とする請求項１３記載の操作端末制御システム。
【発明の詳細な説明】
【技術分野】
【０００１】
本発明は、操作端末制御システムに関するものである。
【背景技術】
【０００２】
従来、宅内において、照明器具、空調機器等の宅内機器の動作を制御するスイッチユニット等の操作端末が壁面等に埋込設置されている。利用者は、この操作端末を操作することによって、照明器具の点灯・消灯、空調機器の温度設定等を行う。
【０００３】
また、近年、携帯電話、スマートフォン、ＰＤＡ（Ｐｅｒｓｏｎａｌ Ｄｉｇｉｔａｌ Ａｓｓｉｓｔａｎｔ）等の携帯端末が広く普及している。そこで、宅内の操作端末に赤外線通信機能を設けて、この操作端末を遠隔操作するリモコン装置として、携帯端末を用いる構成が提案されている（例えば、特許文献１参照）。この特許文献１では、操作端末が携帯端末との間で赤外線通信を行うことによって、この操作端末内のリレーをオン・オフし、宅内機器の動作を制御している。
【先行技術文献】
【特許文献】
【０００４】
【特許文献１】特開２０１２−１７４５１３号公報
【発明の概要】
【発明が解決しようとする課題】
【０００５】
しかしながら、上述の特許文献１では、携帯端末を用いて、赤外線通信機能を有する操作端末を遠隔操作することはできるが、赤外線通信機能を具備していない他の操作端末を遠隔操作することはできない。また、全ての操作端末に赤外線通信機能を設けることは、コスト増大の要因となる。
【０００６】
本発明は、上記事由に鑑みてなされたものであり、その目的は、携帯端末を用いて複数の操作端末を遠隔操作できる低コストの操作端末制御システムを提供することにある。
【課題を解決するための手段】
【０００７】
本発明の操作端末制御システムは、第１の制御機器を制御する操作端末と、照明器具の点灯状態を切り替える照明スイッチまたは負荷へ給電するコンセントの機能を有する中継端末とが通信線を介して互いに接続し、前記中継端末は、前記操作端末と前記通信線を介して通信する第１の通信部と、携帯端末との間で無線通信を行う第１の無線通信部とを備えて、前記第１の無線通信部が、前記操作端末の操作を要求する操作要求を前記携帯端末から受信した場合、前記第１の通信部は、前記通信線を介して前記操作端末へ操作信号を送信し、前記操作端末は、前記中継端末と前記通信線を介して通信する第２の通信部と、利用者によって操作される第１の操作部と、前記第１の操作部の操作に応じて前記第１の制御機器を制御する制御部とを備えて、前記制御部は、前記第２の通信部が受信した前記操作信号に基づいて前記第１の制御機器を制御することを特徴とする。
【０００８】
この発明において、前記中継端末を構成する前記照明スイッチは、利用者の操作によって複数の前記照明器具の点灯状態を一括して切り替えることが好ましい。
【０００９】
この発明において、前記中継端末を構成する前記コンセントは、前記負荷への給電を導通・遮断する接点部を備えることが好ましい。
【００１０】
この発明において、前記中継端末を、宅内の複数のエリアのそれぞれに設けたことが好ましい。
【００１１】
この発明において、前記第１の無線通信部が、複数の前記操作端末の操作を要求する操作要求を前記携帯端末から受信した場合、前記第１の通信部は、複数の前記操作端末に対して前記操作信号を送信することが好ましい。
【００１２】
この発明において、利用者によって操作される第２の操作部と、前記通信線を介して通信する第３の通信部と、動作モード毎に対応する複数の前記操作端末、および前記動作モード毎に対応する前記操作端末のそれぞれの操作内容を前記第２の操作部によって登録する第１のモード設定部とを有する統合管理端末を備え、いずれかの前記動作モードが選択された場合、前記第３の通信部は、選択された前記動作モードに対応して登録された複数の前記操作端末を操作するための前記操作信号を送信することが好ましい。
【００１３】
この発明において、前記統合管理端末は、前記携帯端末と無線通信を行う第２の無線通信部を有し、前記第２の無線通信部が前記操作要求を前記携帯端末から受信した場合、前記第３の通信部は、前記通信線を介して前記操作端末へ前記操作信号を送信することが好ましい。
【００１４】
この発明において、前記統合管理端末は、前記携帯端末から送信されたモード設定信号に基づいて、前記動作モード毎に対応する複数の前記操作端末、および前記動作モード毎に対応する前記操作端末のそれぞれの操作内容を登録する第２のモード設定部を備え、いずれかの前記動作モードが選択された場合、前記第３の通信部は、選択された前記動作モードに対応して、前記第１のモード設定部または前記第２のモード設定部によって登録された複数の前記操作端末を操作するための前記操作信号を送信することが好ましい。
【００１５】
この発明において、前記統合管理端末は、前記第１のモード設定部による登録内容を、前記第２のモード設定部による登録内容より優先させることが好ましい。
【００１６】
この発明において、前記統合管理端末は、前記第２のモード設定部による登録内容を、前記第１のモード設定部による登録内容より優先させることが好ましい。
【００１７】
この発明において、前記統合管理端末は、前記第１のモード設定部による登録内容と、前記第２のモード設定部による登録内容とのいずれを優先させるかを選択的に設定することが好ましい。
【００１８】
この発明において、第２の制御機器の動作を制御する機器制御端末が前記通信線に接続し、前記統合管理端末は、前記機器制御端末との間で通信することによって、前記第２の制御機器を制御することが好ましい。
【００１９】
この発明において、第２の制御機器の動作を制御する機器制御端末が前記通信線に接続し、前記中継端末は、前記第２の制御機器の制御を要求する制御要求を前記携帯端末から受信した場合、前記機器制御端末との間で通信することによって、前記第２の制御機器を制御することが好ましい。
【００２０】
この発明において、前記中継端末は、複数の前記第２の制御機器の制御を要求する制御要求を前記携帯端末から受信した場合、前記機器制御端末との間で通信することによって、複数の前記第２の被制御機器を制御することが好ましい。
【発明の効果】
【００２１】
以上説明したように、本発明では、中継端末が、携帯端末からの操作要求を操作端末へ中継するので、携帯端末を用いて複数の操作端末を遠隔操作できる。また、全ての操作端末が無線通信部を備える必要はなく、少なくとも１台の中継端末が無線通信部を備えればよいので、システム構築のコストを抑制できる。すなわち、携帯端末を用いて複数の操作端末を遠隔操作できる低コストの操作端末制御システムを構築することができるという効果がある。
【図面の簡単な説明】
【００２２】
【図１】実施形態のシステム構成を示すブロック図である。
【図２】同上の中継端末の別の構成を示すブロック図である。
【図３】同上の別のシステム構成を示すブロック図である。
【図４】同上の統合管理端末の構成を示すブロック図である。
【図５】同上の機器制御端末の構成を示すブロック図である。
【発明を実施するための形態】
【００２３】
以下、本発明の実施の形態を図面に基づいて説明する。
【００２４】
（実施形態）
本実施形態の操作端末制御システムは、宅内に設けられており、そのブロック構成を図１に示す。
【００２５】
複数の操作端末１と、統合管理端末２と、機器制御端末３とが、通信線Ｌ１に接続して互いに通信可能に構成されている。なお、通信線Ｌ１上の通信には、例えばＲＳ４８５の通信プロトコルが用いられる。
【００２６】
さらに、複数の操作端末１のそれぞれには、自端末の制御対象となる制御機器４（本発明の第１の制御機器に相当し、宅内の照明器具、空調機器、床暖房機器等で構成される）が制御可能に有線または無線で対応付けられている。操作端末１のそれぞれは、自端末に対応付けられている１乃至複数の制御機器４の動作を制御する。以降、制御機器４は、必要に応じて、照明器具４、空調機器４、床暖房機器４と称す。
【００２７】
操作端末１は、例えば宅内の壁面に埋込設置される照明スイッチ、空調コントローラ、床暖房コントローラ等で構成されており、操作通信部１ａ（第２の通信部）と、操作部１ｂ（第１の操作部）と、制御部１ｃとで構成される。照明スイッチとしては、個別照明スイッチ、一括照明スイッチ、タッチスイッチ、タイマーリモコンスイッチ、待機電力遮断スイッチ等が用いられる。個別照明スイッチは、操作部１ｂの操作によって照明器具４の点灯状態を個別に切り替え、一括照明スイッチは、操作部１ｂの操作によって複数の照明器具４の状態を一括して切り替える。タッチスイッチは、ストロークの小さい小型押釦スイッチを操作部１ｂに用いており、タイマーリモコンスイッチは、操作部１ｂにタイマー時間の設定機能を有して、設定時間後に照明器具４の点灯状態を自動で切り替える。待機電力遮断スイッチは、制御機器４の待機電力を遮断する目的で使用される。
【００２８】
操作部１ｂは、制御機器４を制御するために利用者が操作する押しボタン、タッチパネル等で構成されている。制御部１ｃは、操作部１ｂの操作に応じて制御機器４を制御する。例えば、照明器具４を制御対象とする操作端末１の制御部１ｃは、照明器具４の電力供給路を導通・遮断するリレーを内蔵しており、操作部１ｂの操作に応じてリレーを導通・遮断することによって、照明器具４を点灯・消灯させる。また、空調機器４、床暖房機器４を制御対象とする操作端末１の制御部１ｃは、操作部１ｂの操作に応じて、運転・停止、目標温度設定の制御コマンドを空調機器４、床暖房機器４へ送信することによって、空調機器４、床暖房機器４の各動作を制御する。
【００２９】
操作端末１のうち、無線通信部１ｄを備えるものを中継端末１Ａと称す。この中継端末１Ａの無線通信部１ｄ（第１の無線通信部）は、携帯電話、スマートフォン、ＰＤＡ等の携帯端末６との間で、Ｂｌｕｅｔｏｏｔｈ（登録商標）等を用いた無線通信を行う。
【００３０】
そして、携帯端末６は、利用者の操作によって特定の操作端末１の操作要求を無線信号で送信する。中継端末１Ａでは、無線通信部１ｄが携帯端末６から操作要求を受信し、この操作要求の要求先が自端末であれば、中継端末１Ａの制御部１ｃは、操作要求に応じて制御機器４を制御する。例えば、中継端末１Ａが、照明器具４の点灯・消灯を制御する照明スイッチであり、携帯端末６から、中継端末１Ａによる照明器具４の点灯操作を要求する操作要求が送信されたとする。この場合、中継端末１Ａの制御部１ｃは、照明器具４を点灯制御する。
【００３１】
さらに、中継端末１Ａの操作通信部１ａは、操作要求の要求先が自端末でない他の操作端末１（例えば、操作端末１Ｂ）であれば、通信線Ｌ１を介して操作端末１Ｂへ操作信号を送信する。操作通信部１ａは、通信線Ｌ１との間で信号授受を行うインターフェース機能を有しており、操作要求をプロトコル変換して操作信号を生成し、この操作信号を通信線Ｌ１に送出する。なお、中継端末１Ａの操作通信部１ａが、本発明の第１の通信部に相当する。
【００３２】
操作端末１Ｂでは、操作通信部１ａが中継端末１Ａから操作信号を受信し、操作端末１Ｂの制御部１ｃは、受信した操作信号に応じて制御機器４を制御する。例えば、操作端末１Ｂが、照明器具４の点灯・消灯を制御する照明スイッチであり、中継端末１Ａから、操作端末１Ｂによる照明器具４の点灯操作を要求する操作信号が送信されたとする。この場合、操作端末１Ｂの制御部１ｃは、照明器具４を点灯制御する。
【００３３】
したがって、本制御システムでは、中継端末１Ａが、携帯端末６からの操作要求を他の操作端末１へ中継するので、携帯端末６を用いて複数の操作端末１を遠隔操作できる。また、全ての操作端末１が無線通信部１ｄを備える必要はなく、少なくとも１台の中継端末１Ａが無線通信部１ｄを備えればよいので、システム構築のコストを抑制できる。すなわち、携帯端末６を用いて複数の操作端末１を遠隔操作できる低コストの操作端末制御システムを構築できる。
【００３４】
なお、中継端末１Ａは、上述の個別照明スイッチ、一括照明スイッチ、タッチスイッチ、タイマーリモコンスイッチ、待機電力遮断スイッチのいずれであってもよい。特に、上述の個別照明スイッチ、または一括照明スイッチであることが好ましい。
【００３５】
また、中継端末として、負荷（図示なし）へ電力を供給するコンセントの機能を有する中継端末８を用いてもよい。
【００３６】
このコンセントの機能を有する中継端末８は、図２に示すように、操作通信部８ａと、無線通信部８ｂと、コンセント部８ｃと、接点部８ｄと、給電操作部８ｅとを備える。コンセント部８ｃは、負荷（図示なし）の電源プラグが接続されて、負荷へ商用電力を供給するアウトレットである。接点部８ｄは、コンセント部８ｃの電力供給電路に介挿されて、利用者による給電操作部８ｅの操作によって、コンセント部８ｃの電路を導通・遮断する。したがって、利用者は、負荷の待機状態時に給電操作部８ｅを操作することによって、負荷の待機電力を遮断することができる。
【００３７】
そして、無線通信部８ｂは、携帯端末６との間で、Ｂｌｕｅｔｏｏｔｈ（登録商標）等を用いた無線通信を行う。さらに、操作通信部８ａは、通信線Ｌ１との間で信号授受を行うインターフェース機能を有しており、携帯端末６からの操作要求をプロトコル変換して操作信号を生成し、この操作信号を通信線Ｌ１に送出する。したがって、中継端末８も、中継端末１Ａと同様に、携帯端末６からの操作要求を他の操作端末１へ中継することが可能である。
【００３８】
また、中継端末１Ａは、図３に示すように、宅内の複数の部屋（エリア）のそれぞれに配置してもよい。したがって、利用者は、いずれの部屋にいるときでも、携行している携帯端末６を操作することによって、宅内の全ての操作端末１を遠隔操作できる。
【００３９】
また、携帯端末６は、複数の操作端末１の操作を要求する操作要求を送信することも可能である。この操作要求を受信した中継端末１Ａの操作通信部１ａは、通信線Ｌ１を介して複数の操作端末１へ操作信号を送信することによって、複数の操作端末１を同時に遠隔操作する。
【００４０】
さらに、携帯端末６は、外出モード、帰宅モード等の動作モード毎に対応する操作端末１、および動作モード毎に対応する操作端末１のそれぞれの操作内容を自端末に登録する。そして、携帯端末６は、利用者の操作によっていずれかのモードを選択された場合、この選択された動作モードに対応する複数の操作端末１の操作を要求する操作要求を、中継端末１Ａへ無線で送信する。中継端末１Ａの操作通信部１ａは、通信線Ｌ１を介して、操作要求で指定された複数の操作端末１へ、動作モードが設定された操作信号を送信して、複数の操作端末１を遠隔操作する。この場合、利用者は、動作モード毎に複数の操作端末１の各操作内容を、携帯端末６に予め設定すればよく、利便性が向上する。例えば、外出モードは、宅内の全照明器具４を消灯、全空調器具４、全床暖房機器４を停止させ、帰宅モードは、居間の照明器具４を点灯させて、居間の空調機器４および床暖房機器４を稼動させておく。
【００４１】
次に、統合管理端末２は、図４に示すように、操作通信部２ａ（第３の通信部）と、操作部２ｂ（第２の操作部）と、第１のモード設定部２ｃと、第２のモード設定部２ｄと、無線通信部２ｅ（第２の無線通信部）とで構成される。
【００４２】
まず、無線通信部２ｅは、携帯端末６との間で、Ｂｌｕｅｔｏｏｔｈ（登録商標）等を用いた無線通信を行う。そして、携帯端末６は、利用者の操作によって特定の操作端末１（例えば、操作端末１Ｂ）の操作要求を無線で送信する。統合管理端末２では、無線通信部２ｅが携帯端末６から操作要求を受信し、操作通信部２ａが、通信線Ｌ１を介して操作端末１Ｂへ操作信号を送信する。操作通信部２ａは、通信線Ｌ１との間で信号授受を行うインターフェース機能を有しており、操作要求をプロトコル変換して操作信号を生成し、この操作信号を通信線Ｌ１に送出する。
【００４３】
操作端末１Ｂでは、操作通信部１ａが統合管理端末２から操作信号を受信し、操作端末１Ｂの制御部１ｃは、操作信号に応じて制御機器４を制御する。
【００４４】
また、操作部２ｂは、タッチパネル等の入力手段で構成されており、利用者によって操作される。そして、利用者による操作部２ｂの操作によっても、操作通信部２ａは、操作端末１へ操作信号を送信して操作端末１を遠隔操作する。
【００４５】
また、第１のモード設定部２ｃは、操作部２ｂが利用者によって操作されることによって、外出モード、帰宅モード等の動作モード毎に対応する操作端末１、および動作モード毎に対応する操作端末１それぞれの操作内容を登録する。すなわち、第１のモード設定部２ｃは、操作部２ｂの操作によって動作モードを登録する。そして、利用者による操作部２ｂの操作によって、いずれかのモードを選択された場合、操作通信部２ａは、この選択された動作モードに対応する複数の操作端末１へ操作信号を送信して複数の操作端末１を遠隔操作する。この場合、利用者は、動作モード毎に複数の操作端末１の各操作内容を、統合管理端末２に予め設定すればよく、利便性が向上する。
【００４６】
さらに、第２のモード設定部２ｄは、携帯端末６から送信されたモード設定信号に基づいて、動作モード毎に対応する複数の操作端末１、および動作モード毎に対応する操作端末１のそれぞれの操作内容を登録する。すなわち、第２のモード設定部２ｄは、携帯端末６の操作によって動作モードを登録する。
【００４７】
そして、統合管理端末２は、操作部２ｂを用いた第１のモード設定部２ｃによる登録内容を、携帯端末６を用いた第２のモード設定部２ｄによる登録内容より優先させてもよい。この場合、ある動作モードに対して、第１のモード設定部２ｃによる登録内容と第２のモード設定部２ｄによる登録内容とが異なる場合、統合管理端末２は、第１のモード設定部２ｃによる登録内容を実行する。
【００４８】
あるいは、統合管理端末２は、携帯端末６を用いた第２のモード設定部２ｄによる登録内容を、操作部２ｂを用いた第１のモード設定部２ｃによる登録内容より優先させてもよい。この場合、ある動作モードに対して、第１のモード設定部２ｃによる登録内容と第２のモード設定部２ｄによる登録内容とが異なる場合、統合管理端末２は、第２のモード設定部２ｄによる登録内容を実行する。
【００４９】
また、統合管理端末２は、第１のモード設定部２ｃによる登録内容と、第２のモード設定部２ｄによる登録内容とのいずれを優先させるかを選択的に設定する機能を有してもよい。この優先設定は、利用者による操作部２ｂの操作によって行われる。また、利用者が携帯端末６を操作し、この操作内容を統合管理端末２ヘ無線信号で送信することによって、第１のモード設定部２ｃまたは第２のモード設定部２ｄの優先設定を行ってもよい。
【００５０】
さらに、通信線Ｌ１には機器制御端末３が接続されており、この機器制御端末３は、複数の制御機器７（本発明の第２の制御機器に相当し、エレベータ制御装置、ガスバルブ駆動装置、インターホン子機等で構成される）との間で通信線Ｌ２を介して互いに通信可能に構成されている。以降、制御機器７は、必要に応じて、エレベータ制御装置７、ガスバルブ駆動装置７、インターホン子機７と称す。
【００５１】
機器制御端末３は、図５に示すように、操作通信部３ａと、操作部３ｂと、制御部３ｃと、制御通信部３ｄとで構成される。
【００５２】
操作通信部３ａは、通信線Ｌ１との間で信号授受を行うインターフェース機能を有する。
【００５３】
操作部３ｂは、タッチパネルで構成され、タッチパネルで利用者による操作を受け付け、画像情報をタッチパネルに表示する。
【００５４】
制御部３ｃは、エレベータ制御装置７、ガスバルブ駆動装置７等の各動作を制御する機能、およびインターホン子機７との間で音声情報および画像情報を授受するインターホン親機としての機能を有する。
【００５５】
制御通信部３ｄは、通信線Ｌ２との間で信号授受を行うインターフェース機能を有している。なお、通信線Ｌ２上の通信に用いる通信プロトコルと、通信線Ｌ１上の通信に用いる通信プロトコルとは互いに異なる。
【００５６】
まず、制御部３ｃは、利用者による操作部３ｂの操作によって、制御機器７の動作を制御する制御コマンドを生成し、制御通信部３ｄは、制御対象の制御機器７へ制御コマンドを送信する。制御機器７は、受信した制御コマンドに基づく動作を実行する。また、制御部３ｃは、インターホン親機として動作する場合、インターホン子機７との間で音声情報および画像情報を含む制御コマンドを送受信する。
【００５７】
また、統合管理端末２は、操作部２ｂの操作によって操作通信部２ａが機器制御端末３との間で通信することで、制御機器７を制御する。具体的に、統合管理端末２の操作通信部２ａは、特定の制御機器７を制御対象とする制御指示を機器制御端末３へ送信する。機器制御端末３では、操作通信部３ａが制御指示を受信すると、制御通信部３ｄは、制御部３ｃが生成した制御コマンドを制御対象の制御機器７へ送信する。
【００５８】
また、中継端末１Ａは、制御機器７の制御を要求する制御要求を携帯端末６から受信した場合、機器制御端末３との間で通信することによって、制御機器７を制御する。具体的に、中継端末１Ａでは、特定の制御機器７を制御対象とする制御要求を携帯端末６から受信すると、操作通信部１ａが、機器制御端末３へ制御指示を送信する。機器制御端末３では、操作通信部３ａが制御指示を受信すると、制御通信部３ｄは、制御部３ｃが生成した制御コマンドを制御対象の制御機器７へ送信する。
【００５９】
また、携帯端末６は、外出モード、帰宅モード等の動作モード毎に対応する制御機器７、および動作モード毎に対応する制御機器７のそれぞれの制御内容を自端末に登録する。そして、携帯端末６は、利用者の操作によっていずれかのモードを選択された場合、この選択された動作モードに対応する複数の制御機器７の操作を要求する操作要求を、中継端末１Ａへ無線で送信する。中継端末１Ａの操作通信部１ａは、通信線Ｌ１を介して、機器制御端末３へ、動作モードを設定した制御指示を送信して、複数の制御機器７を遠隔制御する。この場合、利用者は、動作モード毎に複数の制御機器７の各制御内容を、携帯端末６に予め設定すればよく、利便性が向上する。
【符号の説明】
【００６０】
１  操作端末
１Ａ  中継端末
１ａ  操作通信部（第１の通信部、第２の通信部）
１ｂ  操作部（第１の操作部）
１ｃ  制御部
１ｄ  無線通信部（第１の無線通信部）
２  統合管理端末
３  機器制御端末
４  制御機器（第１の制御機器）
５  機器コントローラ
６  携帯端末
７  制御機器（第２の制御機器）
Ｌ１  通信線
Ｌ２  通信線
【図１】
2014179676.tif 000003
【図２】
2014179676.tif 000004
【図３】
2014179676.tif 000005
【図４】
2014179676.tif 000006
【図５】
2014179676.tif 000007